(57)【要約】【課題】火災報知システムに対する試験結果を記録する手間を削減できるようにする。【解決手段】本発明の一実施形態に係る作業者端末１は、火災を報知するための発光部又は表示部を備える火災受信機を含む火災報知システムに対する試験の結果を出力する試験結果出力装置であって、火災受信機を含む撮像画像を取得する画像取得部１１２と、撮像画像の中で発光部の発光又は表示部に表示された文字を検出することによって、火災が検知された区域を特定する画像分析部１１３と、区域を示す試験結果を出力する出力部１１５と、を有する。【選択図】図３
2020004172.tif 000002
【特許請求の範囲】
【請求項１】
火災を報知するための発光部又は表示部を備える火災受信機を含む火災報知システムに対する試験の結果を出力する試験結果出力装置であって、
前記火災受信機を含む撮像画像を取得する画像取得部と、
前記撮像画像の中で前記発光部の発光又は前記表示部に表示された文字を検出することによって、火災が検知された区域を特定する画像分析部と、
前記区域を示す試験結果を出力する出力部と、
を有する試験結果出力装置。
【請求項２】
前記火災受信機の機種ごとに前記発光部又は前記表示部が火災を報知する方式を示す機種情報を記憶する記憶部をさらに有し、
前記画像分析部は、前記試験の対象である前記火災受信機の前記機種に対応する前記機種情報に基づいて、前記撮像画像の中で前記発光部の発光又は前記表示部に表示された文字を検出する、請求項１に記載の試験結果出力装置。
【請求項３】
前記試験の対象である前記火災受信機の前記機種の設定をユーザから受け付ける受付部をさらに有する、請求項２に記載の試験結果出力装置。
【請求項４】
前記画像分析部は、前記撮像画像の中で前記発光を検出した前記発光部の位置に対応する前記区域を特定する、請求項１から３のいずれか一項に記載の試験結果出力装置。
【請求項５】
前記画像分析部は、文字認識処理によって前記撮像画像に含まれる前記文字を認識し、認識した前記文字に対応する前記区域を特定する、請求項１から４のいずれか一項に記載の試験結果出力装置。
【請求項６】
前記出力部は、前記画像分析部が前記区域を特定した際に、前記区域を示す通知をユーザの端末に送信する、請求項１から５のいずれか一項に記載の試験結果出力装置。
【請求項７】
前記撮像画像が時刻を含む場合に、前記画像分析部は、前記撮像画像の中で前記表示部に表示された文字を検出することによって、火災が検知された時刻を特定し、
前記出力部は、前記区域に加えて、前記画像分析部が特定した前記時刻を示す前記試験結果を出力する、請求項１から６のいずれか一項に記載の試験結果出力装置。
【請求項８】
前記撮像画像が時刻を含まない場合に、前記出力部は、前記区域に加えて、前記撮像画像を撮像した端末が有する計時部の時刻に基づいて特定した火災が検知された時刻を示す前記試験結果を出力する、請求項１から７のいずれか一項に記載の試験結果出力装置。
【請求項９】
火災を報知するための発光部又は表示部を備える火災受信機を含む火災報知システムに対する試験の結果を出力する試験結果出力方法であって、
プロセッサが、
前記火災受信機を含む撮像画像を取得するステップと、
前記撮像画像の中で前記発光部の発光又は前記表示部に表示された文字を検出することによって、火災が検知された区域を特定するステップと、
前記区域を示す試験結果を出力するステップと、
を実行する試験結果出力方法。
【請求項１０】
前記火災受信機を撮像可能な位置に配置された第１端末のプロセッサが、前記火災受信機を含む前記撮像画像を送信するステップを実行し、
前記第１端末と通信する第２端末のプロセッサが、前記第１端末から前記撮像画像を取得する前記ステップと、前記区域を特定する前記ステップと、前記試験結果を出力する前記ステップと、を実行する、請求項９に記載の試験結果出力方法。
【請求項１１】
前記撮像画像が時刻を含む場合に、前記区域を特定する前記ステップは、前記撮像画像の中で前記表示部に表示された文字を検出することによって、火災が検知された時刻を特定し、
前記試験結果を出力する前記ステップは、前記区域に加えて、前記区域を特定する前記ステップが特定した前記時刻を示す前記試験結果を出力する、請求項９又は１０に記載の試験結果出力方法。
【請求項１２】
前記撮像画像が時刻を含まない場合に、前記試験結果を出力する前記ステップは、前記区域に加えて、前記撮像画像を撮像した端末が有する計時部の時刻に基づいて特定した火災が検知された時刻を示す前記試験結果を出力する、請求項９から１１のいずれか一項に記載の試験結果出力方法。
【請求項１３】
火災を報知するための発光部又は表示部を備える火災受信機を含む火災報知システムに対する試験の結果を出力する試験結果出力プログラムであって、
コンピュータに、
前記火災受信機を含む撮像画像を取得するステップと、
前記撮像画像の中で前記発光部の発光又は前記表示部に表示された文字を検出することによって、火災が検知された区域を特定するステップと、
前記区域を示す試験結果を出力するステップと、
を実行させる試験結果出力プログラム。
【請求項１４】
前記撮像画像が時刻を含む場合に、前記区域を特定する前記ステップは、前記撮像画像の中で前記表示部に表示された文字を検出することによって、火災が検知された時刻を特定し、
前記試験結果を出力する前記ステップは、前記区域に加えて、前記区域を特定する前記ステップが特定した前記時刻を示す前記試験結果を出力する、請求項１３に記載の試験結果出力プログラム。
【請求項１５】
前記撮像画像が時刻を含まない場合に、前記試験結果を出力する前記ステップは、前記区域に加えて、前記撮像画像を撮像した端末が有する計時部の時刻に基づいて特定した火災が検知された時刻を示す前記試験結果を出力する、請求項１３又は１４に記載の試験結果出力プログラム。
【発明の詳細な説明】
【技術分野】
【０００１】
本発明は、火災報知システムに対する試験の結果を出力するための試験結果出力装置、試験結果出力方法及び試験結果出力プログラムに関する。
【背景技術】
【０００２】
火災報知システムは、監視対象の区域に設置されている複数の火災感知器と、火災感知器が感知した火災を報知する火災受信機とを含む。火災受信機は、回線を介して各火災感知器と接続される。火災報知システムが設置された際には、煙や熱を発生させることによって火災感知器に擬似的に火災を検知させる試験（点検）が行われる。火災報知システムに対する試験には大きな手間が掛かるため、試験に掛かる手間を削減するシステムの開発が進んでいる（例えば、特許文献１、２参照）。
【先行技術文献】
【特許文献】
【０００３】
【特許文献１】特開２０１１−１７５５５４号公報
【特許文献２】特開２００３−１０９１３７号公報
【発明の概要】
【発明が解決しようとする課題】
【０００４】
火災報知システムに対する試験結果は、記録表として記録する必要がある。建物には多数の火災感知器が設置されているため、従来、全ての火災感知器について試験結果を記録するために大きな手間が掛かっていた。
【０００５】
本発明はこれらの点に鑑みてなされたものであり、火災報知システムに対する試験結果を記録する手間を削減できる試験結果出力装置、試験結果出力方法及び試験結果出力プログラムを提供することを目的とする。
【課題を解決するための手段】
【０００６】
本発明の第１の態様の試験結果出力装置は、火災を報知するための発光部又は表示部を備える火災受信機を含む火災報知システムに対する試験の結果を出力する試験結果出力装置であって、前記火災受信機を含む撮像画像を取得する画像取得部と、前記撮像画像の中で前記発光部の発光又は前記表示部に表示された文字を検出することによって、火災が検知された区域を特定する画像分析部と、前記区域を示す試験結果を出力する出力部と、を有する。
【０００７】
前記試験結果出力装置は、前記火災受信機の機種ごとに前記発光部又は前記表示部が火災を報知する方式を示す機種情報を記憶する記憶部をさらに有し、前記画像分析部は、前記試験の対象である前記火災受信機の前記機種に対応する前記機種情報に基づいて、前記撮像画像の中で前記発光部の発光又は前記表示部に表示された文字を検出してもよい。
【０００８】
前記試験結果出力装置は、前記試験の対象である前記火災受信機の前記機種の設定をユーザから受け付ける受付部をさらに有してもよい。
【０００９】
前記画像分析部は、前記撮像画像の中で前記発光を検出した前記発光部の位置に対応する前記区域を特定してもよい。
【００１０】
前記画像分析部は、文字認識処理によって前記撮像画像に含まれる前記文字を認識し、認識した前記文字に対応する前記区域を特定してもよい。
【００１１】
前記出力部は、前記画像分析部が前記区域を特定した際に、前記区域を示す通知をユーザの端末に送信してもよい。
【００１２】
前記撮像画像が時刻を含む場合に、前記画像分析部は、前記撮像画像の中で前記表示部に表示された文字を検出することによって、火災が検知された時刻を特定し、前記出力部は、前記区域に加えて、前記画像分析部が特定した前記時刻を示す前記試験結果を出力してもよい。
【００１３】
前記撮像画像が時刻を含まない場合に、前記出力部は、前記区域に加えて、前記撮像画像を撮像した端末が有する計時部の時刻に基づいて特定した火災が検知された時刻を示す前記試験結果を出力してもよい。
【００１４】
本発明の第２の態様の試験結果出力方法は、火災を報知するための発光部又は表示部を備える火災受信機を含む火災報知システムに対する試験の結果を出力する試験結果出力方法であって、プロセッサが、前記火災受信機を含む撮像画像を取得するステップと、前記撮像画像の中で前記発光部の発光又は前記表示部に表示された文字を検出することによって、火災が検知された区域を特定するステップと、前記区域を示す試験結果を出力するステップと、を実行する。
【００１５】
前記火災受信機を撮像可能な位置に配置された第１端末のプロセッサが、前記火災受信機を含む前記撮像画像を送信するステップを実行し、前記第１端末と通信する第２端末のプロセッサが、前記第１端末から前記撮像画像を取得する前記ステップと、前記区域を特定する前記ステップと、前記試験結果を出力する前記ステップと、を実行してもよい。
【００１６】
前記撮像画像が時刻を含む場合に、前記区域を特定する前記ステップは、前記撮像画像の中で前記表示部に表示された文字を検出することによって、火災が検知された時刻を特定し、前記試験結果を出力する前記ステップは、前記区域に加えて、前記区域を特定する前記ステップが特定した前記時刻を示す前記試験結果を出力してもよい。
【００１７】
前記撮像画像が時刻を含まない場合に、前記試験結果を出力する前記ステップは、前記区域に加えて、前記撮像画像を撮像した端末が有する計時部の時刻に基づいて特定した火災が検知された時刻を示す前記試験結果を出力してもよい。
【００１８】
本発明の第３の態様の試験結果出力プログラムは、火災を報知するための発光部又は表示部を備える火災受信機を含む火災報知システムに対する試験の結果を出力する試験結果出力プログラムであって、コンピュータに、前記火災受信機を含む撮像画像を取得するステップと、前記撮像画像の中で前記発光部の発光又は前記表示部に表示された文字を検出することによって、火災が検知された区域を特定するステップと、前記区域を示す試験結果を出力するステップと、を実行させる。
【００１９】
前記撮像画像が時刻を含む場合に、前記区域を特定する前記ステップは、前記撮像画像の中で前記表示部に表示された文字を検出することによって、火災が検知された時刻を特定し、前記試験結果を出力する前記ステップは、前記区域に加えて、前記区域を特定する前記ステップが特定した前記時刻を示す前記試験結果を出力してもよい。
【００２０】
前記撮像画像が時刻を含まない場合に、前記試験結果を出力する前記ステップは、前記区域に加えて、前記撮像画像を撮像した端末が有する計時部の時刻に基づいて特定した火災が検知された時刻を示す前記試験結果を出力してもよい。
【発明の効果】
【００２１】
本発明によれば、火災報知システムに対する試験結果を記録する手間を削減できるという効果を奏する。
【図面の簡単な説明】
【００２２】
【図１】本実施形態に係る火災報知システムの模式図である。
【図２】本実施形態に係る火災報知システムが有する火災受信機の模式図である。
【図３】本実施形態に係る火災報知システムが有する作業者端末及び撮像端末のブロック図である。
【図４】本実施形態に係る火災報知システムに対する試験結果出力方法を示す模式図である。
【図５】初期設定画面を表示している作業者端末の正面図である。
【図６】本実施形態に係る火災報知システムが有する火災受信機の正面図である。
【図７】履歴情報生成部が生成する履歴情報の模式図である。
【図８】本実施形態に係る試験結果出力方法のフローチャートを示す図である。
【図９】本実施形態に係る火災報知システムに対する試験結果出力方法を示す模式図である。
【図１０】本実施形態に係る火災報知システムに対する試験結果出力方法を示す模式図である。
【図１１】途中設定画面を表示している作業者端末の正面図である。
【発明を実施するための形態】
【００２３】
［火災報知システムＳの概要］
図１は、本実施形態に係る火災報知システムＳの模式図である。火災報知システムＳは、作業者端末１と、撮像端末２と、火災受信機３と、火災感知器４とを有する。火災受信機３は、電線等の回線Ｗを介して、火災感知器４に接続されている。
【００２４】
火災受信機３は、火災報知システムＳの各種の動作を司り、火災感知器４が感知した情報に基づいて火災を報知する制御装置である。火災受信機３は、例えばＰ型火災受信機又はＲ型火災受信機である。
【００２５】
火災警報の監視対象となる警戒区域Ａには、それぞれ一以上の火災感知器４が設けられている。警戒区域Ａは、例えば建物の階層、階層を分割した領域、建物内の部屋等の区域である。
【００２６】
作業者端末１は、火災報知システムＳを試験する作業者（ユーザ）が保持する、無線通信を行うことが可能なコンピュータである。作業者端末１は、例えばスマートフォン等の携帯端末である。作業者端末１は、作業者による操作を受け付けるとともに、撮像端末２が撮像した撮像画像を表示部上に表示する。
【００２７】
撮像端末２は、火災受信機３を撮像する、無線通信を行うことが可能なコンピュータである。撮像端末２は、例えばスマートフォン等の携帯端末である。撮像端末２は三脚等の支持部材に固定されており、火災受信機３の正面を撮像可能な位置に配置されている。撮像端末２は、火災受信機３の正面を含む撮像範囲を撮像し、撮像画像を作業者端末１に送信する。
【００２８】
作業者は、火災感知器４の近くで試験用の擬似的な煙又は熱を発生させている間に、作業者端末１に表示された撮像画像を視認することで、火災感知器４が試験用の擬似的な煙又は熱を感知しているか否かを確認することができる。したがって、火災報知システムＳにおいては、一人の作業者が火災感知器４の試験をする作業の効率を向上させることができる。
【００２９】
また、火災報知システムＳにおいては、撮像画像を解析した結果に基づいて試験結果が出力される。したがって、作業者が、試験の途中又は試験を終了した後に試験結果を記録した記録表等の書面を作成するための時間を短縮することができる。
【００３０】
［火災報知システムＳの構成］
図２は、本実施形態に係る火災報知システムＳが有する火災受信機３の模式図である。図２に示す火災受信機３はＰ型火災受信機であるが、Ｒ型火災受信機であってもよい。火災受信機３は、制御部３１と、報知部３２とを備える。火災受信機３は、操作部や音声出力部等、その他の部材を備えてもよい。
【００３１】
制御部３１は、例えばＣＰＵ（Central Processing Unit）等のプロセッサを有する。制御部３１は、火災感知器４が火災を検知した際に報知するための制御を行う。制御部３１は、回線Ｗに接続されている。回線Ｗは、警戒区域ごとに、一以上の火災感知器４に順に接続（いわゆる送り配線）され、制御部３１とは反対側の終端部において終端器５に接続されている。
【００３２】
制御部３１は、警戒区域内に設置された一以上の火災感知器４のいずれかから火災を検知したことが通知されると、火災が発生した警戒区域を示す情報を、報知部３２を用いて報知する。
【００３３】
火災受信機３がＰ型火災受信機の場合には、報知部３２（地区窓ともいう）は、火災受信機３の正面側に設けられており、ランプを含む。報知部３２は、制御部３１からの信号に従って作動する。報知部３２は、警戒区域の数以上の数のランプを有する。報知部３２のランプは、それぞれいずれか１つの警戒区域の回線Ｗに関連付けられている。いずれかの警戒区域の火災感知器４で火災が検知されると、該警戒区域の回線Ｗに関連付けられたランプが発光する。火災受信機３がＲ型火災受信機の場合には、報知部３２はディスプレイを含み、ディスプレイは火災が検知された警戒区域を表す文字を表示する。
【００３４】
火災感知器４は、試験用の擬似的な熱又は煙を検知すると、自身の電気的特性（例えばインピーダンス）を変化させる、あるいは回線Ｗ上に信号を送信することによって、火災受信機３に火災を検知したことを通知する。
【００３５】
終端器５は、火災感知器４が接続されている回線Ｗの、火災受信機３とは反対側の終端部に設けられる終端装置である。終端器５は、回線Ｗの断線を検出するために設けられる。終端器５は、回線Ｗの最も終端側（すなわち火災受信機３から最も遠い位置）にある火災感知器４に内蔵されてもよい。
【００３６】
図３は、本実施形態に係る火災報知システムＳが有する作業者端末１及び撮像端末２のブロック図である。図３において、矢印は主なデータの流れを示しており、図３に示したもの以外のデータの流れがあってよい。図３において、各ブロックはハードウェア（装置）単位の構成ではなく、機能単位の構成を示している。そのため、図３に示すブロックは単一の装置内に実装されてよく、あるいは複数の装置内に別れて実装されてよい。
【００３７】
本実施形態に係る試験結果出力装置としての作業者端末１は、制御部１１と、記憶部１２と、操作部１３と、通信部１４と、表示部１５とを有する。制御部１１は、設定受付部１１１と、画像取得部１１２と、画像分析部１１３と、履歴情報生成部１１４と、出力部１１５とを有する。
【００３８】
制御部１１は、例えばＣＰＵ等のプロセッサであり、記憶部１２に記憶されたプログラムを実行することにより、設定受付部１１１、画像取得部１１２、画像分析部１１３、履歴情報生成部１１４及び出力部１１５として機能する。制御部１１の機能の少なくとも一部は、電気回路によって実行されてもよい。また、制御部１１の機能の少なくとも一部は、ネットワーク経由で実行されるプログラムによって実行されてもよい。設定受付部１１１、画像取得部１１２、画像分析部１１３、履歴情報生成部１１４及び出力部１１５の機能については、図４〜図８を用いて後述する。
【００３９】
記憶部１２は、ＲＯＭ（Read Only Memory）、ＲＡＭ（Random Access Memory）、ハードディスクドライブ等を含む記憶媒体である。記憶部１２は、制御部１１が実行するプログラムを予め記憶している。
【００４０】
操作部１３は、作業者の操作を受け付けるための、ボタン、スイッチ、ダイヤル等の操作部材を含む。操作部１３は、作業者の操作を示す信号を制御部１１に入力する。
【００４１】
通信部１４は、インターネット、ローカルエリアネットワーク等のネットワークを介して通信をするための通信インターフェースである。通信部１４は、通信を実行するためのプロセッサ、コネクタ、電気回路等を含む。通信部１４は、外部から受信した通信信号に所定の処理を行ってデータを取得し、取得したデータを制御部１１に入力する。また、通信部１４は、制御部１１から入力されたデータに所定の処理を行って通信信号を生成し、生成した通信信号を外部に送信する。
【００４２】
表示部１５は、液晶ディスプレイ等、情報を表示可能な表示装置を含む。表示部１５は、制御部１１からの信号に従って情報を表示する。表示部１５として作業者による接触の位置を検出可能なタッチスクリーンを用いることによって、表示部１５と操作部１３とを一体に構成してもよい。
【００４３】
撮像端末２は、制御部２１と、記憶部２２と、撮像部２３と、通信部２４とを有する。制御部２１は、撮像制御部２１１と、画像送信部２１２とを有する。撮像端末２は、さらに作業者端末１と同様の操作部１３及び表示部１５を有してもよい。
【００４４】
制御部２１は、例えばＣＰＵ等のプロセッサであり、記憶部２２に記憶されたプログラムを実行することにより、撮像制御部２１１及び画像送信部２１２として機能する。制御部２１の機能の少なくとも一部は、電気回路によって実行されてもよい。また、制御部２１の機能の少なくとも一部は、ネットワーク経由で実行されるプログラムによって実行されてもよい。撮像制御部２１１及び画像送信部２１２の機能については、図４〜図８を用いて後述する。
【００４５】
記憶部２２は、ＲＯＭ、ＲＡＭ、ハードディスクドライブ等を含む記憶媒体である。記憶部２２は、制御部２１が実行するプログラムを予め記憶している。
【００４６】
撮像部２３は、火災受信機３を含む撮像範囲を撮像する撮像装置（カメラ）である。撮像部２３は、ＣＣＤ（Charge Coupled Device）センサ、ＣＭＯＳ（Complementary Metal Oxide Semiconductor）センサ等の撮像素子を含む。撮像部２３は、撮像した撮像画像を示す信号を制御部２１に入力する。
【００４７】
通信部２４は、インターネット、ローカルエリアネットワーク等のネットワークを介して通信をするための通信インターフェースである。通信部２４は、通信を実行するためのプロセッサ、コネクタ、電気回路等を含む。通信部２４は、外部から受信した通信信号に所定の処理を行ってデータを取得し、取得したデータを制御部２１に入力する。また、通信部２４は、制御部２１から入力されたデータに所定の処理を行って通信信号を生成し、生成した通信信号を外部に送信する。
【００４８】
本実施形態に係る火災報知システムＳは、図２、図３に示す具体的な構成に限定されない。例えば火災受信機３、作業者端末１及び撮像端末２は、それぞれ１つの装置に限られず、２つ以上の物理的に分離した装置が互いに接続されることにより構成されてもよい。
【００４９】
［試験結果出力方法の説明］
図４は、本実施形態に係る火災報知システムＳに対する試験結果出力方法を示す模式図である。まず、作業者は、作業者端末１の操作部１３を操作することによって、初期設定を行う（ａ）。作業者端末１の設定受付部１１１は、操作部１３を介して作業者から初期設定を受け付け、設定情報として記憶部１２に記憶させる。設定受付部１１１は、作業者以外のユーザ（管理者や技術者等）から初期設定を受け付けてもよい。
【００５０】
図５は、初期設定画面を表示している作業者端末１の正面図である。作業者端末１は、表示部１５上に初期設定画面を表示し、作業者による初期設定の入力を受け付ける。初期設定画面は、機種指定欄１５１と、感知器数指定欄１５２と、決定ボタン１５３とを含む。機種指定欄１５１は、試験対象の火災受信機３の機種（例えば型番）を指定するための欄である。機種指定欄１５１は、火災受信機３の機種の選択肢の中から選択を受け付けてもよく、あるいは火災受信機３の機種を示す文字の入力を受け付けてもよい。
【００５１】
感知器数指定欄１５２は、警戒区域の識別情報（番号）と、警戒区域ごとに設置されている火災感知器４の数とを関連付けて指定するための欄である。警戒区域の識別情報は、警戒区域を識別可能な数字又は文字列である。感知器数指定欄１５２は、警戒区域の識別情報と火災感知器４の数とを示す文字の入力を受け付ける。火災受信機３の機種ごとに対応可能な警戒区域の数が異なるため、警戒区域の識別情報は機種指定欄１５１で指定された火災受信機３の機種に応じて自動的に指定されてもよい。感知器数指定欄１５２は、省略されてもよい。
【００５２】
決定ボタン１５３は、表示部１５上に表示された仮想的なボタンである。作業者端末１の設定受付部１１１は、作業者によって決定ボタン１５３が押下されると、機種指定欄１５１及び感知器数指定欄１５２において指定された内容を、設定情報として記憶部１２に記憶させる。
【００５３】
図５に示した初期設定画面を撮像端末２の表示部上に表示し、撮像端末２が初期設定を受け付けてもよい。この場合に撮像端末２は、受け付けた初期設定を示す設定情報を、ネットワークを介して作業者端末１に送信する。
【００５４】
図４に戻り、作業者は、火災受信機３を撮像可能な位置に撮像端末２を配置し、撮像端末２による撮像を開始させる。そして作業者は、試験対象の火災感知器４の近傍で、順次試験用の擬似的な煙又は熱を発生させる（ｂ）。火災受信機３は、火災感知器４の電気的特性が変化した場合、又は火災感知器４から所定の信号を受信した場合に、火災を報知する（ｃ）。
【００５５】
このように本実施形態では、作業者が作業者端末１で初期設定を行い、撮像端末２に火災受信機３の撮像を開始させるだけで、火災報知システムＳに対する試験を開始できる。火災受信機３や火災感知器４に対して変更を加える必要がないため、火災報知システムＳの試験を実施するための手間を削減できる。
【００５６】
図６（ａ）、図６（ｂ）は、本実施形態に係る火災報知システムＳが有する火災受信機３の正面図である。図６（ａ）に示す火災受信機３は、Ｐ型火災受信機である。Ｐ型火災受信機である火災受信機３は、報知部３２としてのランプ３２ａを有する。ランプ３２ａは、例えばＬＥＤ（Light Emitting Diode）であり、制御部３１からの信号に従って発光する発光部である。ランプ３２ａは警戒区域ごとに設けられており、ランプ３２ａの近傍には対応する警戒区域を示すラベル３３が付されている。ラベル３３は、警戒区域の識別情報を表してもよく、あるいは警戒区域に対応する文字列（例えば警戒区域に含まれる階層や部屋の名称）を表してもよい。
【００５７】
図６（ｂ）に示す火災受信機３は、Ｒ型火災受信機である。Ｒ型火災受信機である火災受信機３は、報知部３２としてのディスプレイ３２ｂを有する。ディスプレイ３２ｂは、例えば液晶ディスプレイであり、制御部３１からの信号に従って情報を表示する表示部である。制御部３１は、火災を報知する際に、火災が検知された警戒区域を示す警戒区域情報３４をディスプレイ３２ｂに表示させる。警戒区域情報３４は、警戒区域の識別情報を含んでもよく、あるいは警戒区域に対応する文字列（例えば警戒区域に含まれる階層や部屋の名称）を含んでもよい。
【００５８】
火災受信機３の機種（型番）ごとに、火災が検知された警戒区域を報知する方式は異なる。作業者端末１の記憶部１２は、火災受信機３の機種と、火災が検知された警戒区域を報知する方式（例えば、ランプ３２ａの位置又はディスプレイ３２ｂ上で文字が表示される位置）とを関連付けた機種情報を予め記憶している。
【００５９】
火災受信機３は、Ｐ型火災受信機である場合に、いずれのランプ３２ａが発光するかによって、いずれの警戒区域において火災が検知されたかを報知する。また、Ｐ型火災受信機の機種ごとに、ランプ３２ａの位置は異なる。そのため、Ｐ型火災受信機の機種情報は、機種ごとに、各ランプ３２ａの位置（例えば撮像画像中の座標）と、各ランプ３２ａに対応する警戒区域の識別情報とを示す情報である。
【００６０】
火災受信機３は、Ｒ型火災受信機である場合に、ディスプレイ３２ｂが表示している文字によって、いずれの警戒区域において火災が検知されたかを報知する。また、Ｒ型火災受信機の機種ごとに、火災が検知された警戒区域を示す文字がディスプレイ３２ｂ上で表示される位置は異なる。そのため、Ｒ型火災受信機の機種情報は、機種ごとに、火災が検知された警戒区域を示す文字がディスプレイ３２ｂ上で表示される位置（例えば撮像画像中の座標）を示す情報である。
【００６１】
図４に戻り、撮像端末２において、撮像制御部２１１は、撮像部２３を用いて、火災受信機３の正面を含む撮像範囲を撮像する（ｄ）。撮像画像は、火災受信機３の時系列変化を表す動画である。火災受信機３には時刻を表示する機種と時刻を表示しない機種とが存在するため、撮像画像は、時刻を表す文字を含む場合と、時刻を表す文字を含まない場合とがある。撮像制御部２１１は、撮像部２３が撮像した撮像画像を、記憶部２２に記憶させる。画像送信部２１２は、撮像部２３が撮像した撮像画像を、通信部２４を用いてネットワークを介して作業者端末１に送信する。画像送信部２１２は、撮像画像を逐次送信してもよく、撮像画像を所定の時間間隔で送信してもよく、撮像の開始から終了までの全ての撮像画像をまとめて送信してもよい。
【００６２】
作業者端末１において、画像取得部１１２は、撮像端末２から撮像画像を受信し、記憶部１２に記憶させる。また、画像取得部１１２は、撮像端末２から受信した撮像画像を表示部１５に表示させてもよい。
【００６３】
作業者端末１及び撮像端末２は、撮像画像を送受信するために、テレビ電話アプリケーションや動画配信アプリケーションのような、ネットワークを介して撮像画像を送受信可能な既存のソフトウェアを利用できる。これにより、本実施形態に係る試験結果出力方法を行うためのソフトウェアを実装するためのコストを低減できる。
【００６４】
画像分析部１１３は、火災受信機３を含む撮像画像を分析し、火災受信機３が火災を報知したことを検出する（ｅ）。具体的には、画像分析部１１３は、火災受信機３を含む撮像画像を、記憶部１２から取得する。画像分析部１１３は、作業者が入力した初期設定を示す設定情報を、記憶部１２から取得する。画像分析部１１３は、設定情報が示す火災受信機３の機種（型番）に対応する機種情報を、記憶部１２から取得する。画像分析部１１３は、取得した機種情報に基づいて、火災受信機３を含む撮像画像を分析し、火災が検知された警戒区域及び時刻を特定する。撮像画像が時刻を表す文字を含まない場合には、画像分析部１１３は、撮像画像を分析し、火災が検知された警戒区域のみを特定する。
【００６５】
機種情報がＰ型火災受信機に対応する場合に、画像分析部１１３は、撮像画像中で、機種情報が示すランプ３２ａの位置（座標）の画素が発光しているか否かを判定する。このとき画像分析部１１３は、例えば画素の輝度が所定閾値以上である場合に発光していると判定し、所定閾値未満である場合に発光していないと判定する。
【００６６】
画像分析部１１３は、あるランプ３２ａの位置の画素の発光が開始したと判定した場合に、機種情報において該ランプ３２ａに関連付けられた識別情報と、撮像画像の中で該ランプ３２ａの発光が開始したフレームの時刻（すなわち火災が検知された時刻）とを、履歴情報生成部１１４に渡す。また、画像分析部１１３は、あるランプ３２ａの位置の画素の発光が終了したと判定した場合に、機種情報において該ランプ３２ａに関連付けられた識別情報と、撮像画像の中で該ランプ３２ａの発光が終了したフレームの時刻（すなわち火災の検知から復旧した時刻）とを、履歴情報生成部１１４に渡す。
【００６７】
機種情報がＲ型火災受信機に対応する場合に、画像分析部１１３は、撮像画像中で、機種情報が示すディスプレイ３２ｂ上の表示位置（座標）に表示された文字を検出する。このとき画像分析部１１３は、例えばＯＣＲ（光学的文字認識）等の文字認識処理を実行して、撮像画像に含まれる文字を認識する。
【００６８】
画像分析部１１３は、火災が検知された警戒区域が表示される位置において警戒区域の識別情報（又は警戒区域に対応する文字列）の表示が開始したことを検出した場合に、該識別情報と、撮像画像の中で該識別情報の表示が開始したフレームの時刻（すなわち火災が検知された時刻）とを、履歴情報生成部１１４に渡す。また、画像分析部１１３は、火災が検知された警戒区域が表示される位置において警戒区域の識別情報（又は警戒区域に対応する文字列）の表示が終了したことを検出した場合に、該識別情報と、撮像画像の中で該識別情報の表示が終了したフレームの時刻（すなわち火災の検知から復旧した時刻）とを、履歴情報生成部１１４に渡す。
【００６９】
画像分析部１１３は、撮像の開始から終了までの全ての撮像画像をまとめて分析（すなわちバッチ処理）してもよく、撮像画像を撮像端末２から受信した際に逐次分析（すなわちリアルタイム処理）してもよい。
【００７０】
このように画像分析部１１３は、火災受信機３を撮像した撮像画像を分析することによって、火災が検知された警戒区域及び時刻を特定する。これにより、火災感知器４に対して試験用の擬似的な煙又は熱を発生させる作業者のみによって、火災報知システムＳに対する試験を行うことができる。火災受信機３を監視する人間を配置する必要がないため、火災報知システムＳに対する試験を実施するためのコストを削減できる。
【００７１】
履歴情報生成部１１４は、画像分析部１１３が特定した火災が検知された警戒区域及び時刻に基づいて、履歴情報Ｄを生成する。図７は、履歴情報生成部１１４が生成する履歴情報Ｄの模式図である。履歴情報Ｄは、時刻Ｄ１と、状態Ｄ２と、場所Ｄ３とを関連付けた情報である。状態Ｄ２は、火災が検知されたこと（火災発報）、又は火災の検知が終了したこと（復旧）を示す。
【００７２】
画像分析部１１３による分析結果が、Ｐ型火災受信機においてランプ３２ａの発光が開始したことと、又はＲ型火災受信機において火災が検知された警戒区域の表示が開始したこととのどちらかを示す場合に、履歴情報生成部１１４は警戒区域において火災が検知されたと判定する。また、画像分析部１１３による分析結果が、Ｐ型火災受信機においてランプ３２ａの発光が終了したことと、又はＲ型火災受信機において火災が検知された警戒区域の表示が終了したこととのどちらかを示す場合に、履歴情報生成部１１４は警戒区域において火災の検知が終了したと判定する。
【００７３】
そして履歴情報生成部１１４は、履歴情報Ｄにおいて、ある警戒区域で火災が検知されたこと又は火災の検知が終了したことを状態Ｄ２に設定し、状態Ｄ２が判定されたフレームの時刻（火災が検知された時刻又は火災の検知から復旧した時刻）を時刻Ｄ１に設定し、該警戒区域の識別情報又は該警戒区域に対応する文字列を場所Ｄ３に設定する。履歴情報生成部１１４は、生成した履歴情報Ｄを、出力部１１５に渡す。
【００７４】
撮像画像が時刻を表す文字を含む場合に、履歴情報生成部１１４は、画像分析部１１３が撮像画像を分析することによって特定した火災が検知された時刻を、時刻Ｄ１に設定している。撮像画像が時刻を表す文字を含まない場合には、履歴情報生成部１１４は、撮像画像を撮像した撮像端末２の計時部（時計、タイマ等）の時刻を取得し、該時刻を火災が検知された時刻として時刻Ｄ１に設定してもよい。例えば履歴情報生成部１１４は、撮像画像を撮像した際の撮像端末２の時刻又は撮像画像を送信した際の撮像端末２の時刻を、撮像端末２から受信し、時刻Ｄ１に設定する。
【００７５】
図７に示した履歴情報Ｄは一例であり、履歴情報Ｄの各項目は適宜追加又は省略されてもよい。図７において履歴情報Ｄは視認性のために文字列の表で表されているが、各データは任意の形式で記録されてもよく、例えば文字列データ、数値データおよびバイナリデータのいずれでもよい。履歴情報Ｄは、データベースとして記録されてもよく、あるいはデータを列挙したリストとして記録されてもよい。
【００７６】
出力部１１５は、履歴情報生成部１１４が生成した履歴情報Ｄを、試験結果として所定の方法で出力する（ｆ）。出力部１１５は、履歴情報Ｄを示すデータを記憶部１２に記憶させてもよく、履歴情報Ｄを表示部１５に表示させてもよく、プリンタを用いて履歴情報Ｄを印刷してもよい。
【００７７】
このように、本実施形態に係る火災報知システムＳは、撮像画像を分析することによって、火災が検知された警戒区域及び時刻を示す試験の履歴情報を出力できるため、作業者が試験中又は試験終了後に記録表等を作成するための手間を削減できる。
【００７８】
［試験結果出力方法のフローチャート］
図８は、本実施形態に係る火災報知システムＳに対する試験結果出力方法のフローチャートを示す図である。作業者端末１において、設定受付部１１１は、操作部１３を介して作業者から初期設定を受け付け、設定情報として記憶部１２に記憶させる（Ｓ１１）。設定情報は、試験対象の火災受信機３の機種（型番）を含む。
【００７９】
作業者は、火災受信機３を撮像可能な位置に撮像端末２を配置し、撮像端末２による撮像を開始させる。そして作業者は、試験対象の火災感知器４の近傍で、順次試験用の擬似的な煙又は熱を発生させる。
【００８０】
撮像端末２において、撮像制御部２１１は、撮像部２３を用いて、火災受信機３の正面を含む撮像範囲を撮像する（Ｓ１２）。画像送信部２１２は、撮像部２３が撮像した撮像画像を、通信部２４を用いて作業者端末１に送信する。作業者端末１において、画像取得部１１２は、撮像端末２から撮像画像を受信し、記憶部１２に記憶させる。
【００８１】
画像分析部１１３は、火災受信機３を含む撮像画像を、記憶部１２から取得する（Ｓ１３）。また、画像分析部１１３は、作業者が入力した初期設定を示す設定情報を記憶部１２から取得し、さらに取得した設定情報が示す火災受信機３の機種に対応する機種情報を記憶部１２から取得する（Ｓ１４）。
【００８２】
画像分析部１１３は、ステップＳ１４で取得した機種情報に基づいて、火災受信機３を含む撮像画像を分析し、火災が検知された警戒区域及び時刻を特定する（Ｓ１５）。このとき、画像分析部１１３は、試験対象の火災受信機３がＰ型火災受信機である場合に、発光したランプ３２ａの位置及び撮像画像の時刻（すなわち、撮像画像を分析することによって特定した時刻、又は撮像画像を撮像した撮像端末２の計時部から取得した時刻）に基づいて、火災が検知された警戒区域及び時刻を特定する。画像分析部１１３は、試験対象の火災受信機３がＲ型火災受信機である場合に、ディスプレイ３２ｂに表示された文字及び撮像画像の時刻に基づいて、火災が検知された警戒区域及び時刻を特定する。
【００８３】
履歴情報生成部１１４は、ステップＳ１５で画像分析部１１３が特定した警戒区域及び時刻に基づいて、履歴情報を生成する（Ｓ１６）。履歴情報は、火災が検知されたこと（火災発報）又は火災の検知が終了したこと（復旧）を示す状態と、状態が判定されたフレームの時刻（火災が検知された時刻又は火災の検知から復旧した時刻）と、状態が判定された警戒区域の場所とを関連付けた情報である。
【００８４】
所定の終了条件（例えば作業者が作業者端末１又は撮像端末２に対して所定の終了操作を行うこと）が満たされていない場合に（Ｓ１７のＮＯ）、作業者端末１及び撮像端末２はステップＳ１３に戻って処理を繰り返す。所定の終了条件が満たされた場合に（Ｓ１７のＹＥＳ）、作業者端末１はステップＳ１８に進む。
【００８５】
出力部１１５は、ステップＳ１６で履歴情報生成部１１４が生成した履歴情報を、試験結果として所定の方法で出力する（Ｓ１８）。出力部１１５は、履歴情報を示すデータを記憶部１２に記憶させてもよく、履歴情報を表示部１５に表示させてもよく、プリンタを用いて履歴情報を印刷してもよい。
【００８６】
図８のフローチャートはリアルタイム処理を表しているが、バッチ処理の場合にはステップＳ１３で撮像開始から終了までの全ての撮像画像を取得してからステップＳ１４以降を行う点が異なり、それ以外の点については同様である。
【００８７】
［本実施形態の効果］
本実施形態に係る火災報知システムＳによれば、火災報知システムＳは、撮像画像を分析することによって、火災が検知された警戒区域及び時刻を示す試験の履歴情報を出力できるため、作業者が試験中又は試験終了後に記録表等を作成するための手間を削減できる。
【００８８】
また、火災報知システムＳは、火災受信機３を撮像した撮像画像を分析することによって、火災が検知された警戒区域及び時刻を特定する。これにより、火災感知器４に対して試験用の擬似的な煙又は熱を発生させる作業者のみがいれば、火災報知システムＳに対する試験を行うことができる。火災受信機３を監視する人間を配置する必要がないため、火災報知システムＳに対する試験を実施するためのコストを削減できる。
【００８９】
また、作業者が作業者端末１で初期設定を行い、撮像端末２に火災受信機３を撮像させるだけで、火災報知システムＳに対する試験を開始できる。そのため、火災報知システムＳの試験を実施するために、特別な受信機、特別なサーバ、特別なネットワークを必要とせず、既存の火災報知システムを変更せずにそのまま使用できる。したがって、火災報知システムＳの試験を実施するための手間及びコストを削減できる。
【００９０】
［第１変形例］
作業者端末１及び撮像端末２とは異なるサーバが、本実施形態に係る試験結果出力装置として機能してもよい。図９は、本実施形態の変形例に係る火災報知システムＳに対する試験結果出力方法を示す模式図である。図９の火災報知システムＳは、撮像画像を分析する処理をするサーバ６が設けられている点で図３の火災報知システムＳと異なっており、それ以外の点については同様である。
【００９１】
サーバ６は、作業者端末１及び撮像端末２との間で通信を行うことが可能なコンピュータである。サーバ６は、図３に示す作業者端末１と同様の制御部１１、記憶部１２及び通信部１４を有する。サーバ６の制御部１１は、記憶部１２に記憶されたプログラムを実行することにより、画像取得部１１２、画像分析部１１３、履歴情報生成部１１４及び出力部１１５として機能する。
【００９２】
作業者は、作業者端末１の操作部１３を操作することによって、初期設定を行う（ａ）。このとき、作業者端末１は初期設定を示す設定情報をサーバ６へ送信し、サーバ６は受信した設定情報を記憶部１２に記憶させる。
【００９３】
作業者は、火災受信機３を撮像可能な位置に撮像端末２を配置し、撮像端末２による撮像を開始させる。そして作業者は、試験対象の火災感知器４の近傍で、順次試験用の擬似的な煙又は熱を発生させる（ｂ）。火災受信機３は、火災感知器４の電気的特性が変化した場合、又は火災感知器４から所定の信号を受信した場合に、火災を報知する（ｃ）。
【００９４】
撮像端末２の撮像制御部２１１は、撮像部２３を用いて、火災受信機３の正面を含む撮像範囲を撮像する（ｄ）。撮像端末２の画像送信部２１２は、撮像部２３が撮像した撮像画像を、通信部２４を用いてネットワークを介して作業者端末１に送信する。作業者端末１において、画像取得部１１２は、撮像端末２から受信した撮像画像を表示部１５に表示させる。また、撮像端末２の画像送信部２１２は、撮像部２３が撮像した撮像画像を、通信部２４を用いてネットワークを介してサーバ６に送信する。
【００９５】
サーバ６の画像取得部１１２は、撮像端末２から撮像画像を受信し、記憶部１２に記憶させる。サーバ６の画像分析部１１３は、火災受信機３を含む撮像画像を分析し、火災受信機３が火災を報知したことを検出する（ｅ）。サーバ６の履歴情報生成部１１４は、画像分析部１１３が特定した火災が検知された警戒区域及び時刻に基づいて、履歴情報Ｄを生成する。サーバ６の出力部１１５は、履歴情報生成部１１４が生成した履歴情報Ｄを、試験結果として所定の方法で出力する（ｆ）。このとき、出力部１１５は、サーバ６が備える表示部に履歴情報を出力してもよく、作業者端末１が備える表示部１５に履歴情報を出力してもよい。
【００９６】
このように、作業者端末１及び撮像端末２とは異なるサーバが撮像画像を分析する処理をすることによって、作業者端末１及び撮像端末２における処理の負荷を低減することができる。
【００９７】
［第２変形例］
撮像端末２が、本実施形態に係る試験結果出力装置として機能してもよい。図１０は、本実施形態の変形例に係る火災報知システムＳに対する試験結果出力方法を示す模式図である。図１０の火災報知システムＳは、撮像端末２が撮像画像の分析処理をする点で図３の火災報知システムＳと異なっており、それ以外の点については同様である。
【００９８】
撮像端末２の制御部２１は、記憶部２２に記憶されたプログラムを実行することにより、図３に示す作業者端末１と同様の画像分析部１１３、履歴情報生成部１１４及び出力部１１５として機能する。
【００９９】
作業者は、作業者端末１の操作部１３を操作することによって、初期設定を行う（ａ）。作業者は、火災受信機３を撮像可能な位置に撮像端末２を配置し、撮像端末２による撮像を開始させる。そして作業者は、試験対象の火災感知器４の近傍で、順次試験用の擬似的な煙又は熱を発生させる（ｂ）。火災受信機３は、火災感知器４の電気的特性が変化した場合、又は火災感知器４から所定の信号を受信した場合に、火災を報知する（ｃ）。
【０１００】
撮像端末２の撮像制御部２１１は、撮像部２３を用いて、火災受信機３の正面を含む撮像範囲を撮像する（ｄ）。撮像端末２の画像送信部２１２は、撮像部２３が撮像した撮像画像を、記憶部２２に記憶させる。
【０１０１】
撮像端末２の画像分析部１１３は、火災受信機３を含む撮像画像を分析し、火災受信機３が火災を報知したことを検出する（ｅ）。撮像端末２の履歴情報生成部１１４は、画像分析部１１３が特定した火災が検知された警戒区域及び時刻に基づいて、履歴情報Ｄを生成する。撮像端末２の出力部１１５は、履歴情報生成部１１４が生成した履歴情報Ｄを、試験結果として所定の方法で出力する（ｆ）。このとき、出力部１１５は、撮像端末２が備える表示部に履歴情報を出力してもよく、作業者端末１が備える表示部１５に履歴情報を出力してもよい。
【０１０２】
画像分析部１１３が撮像画像を逐次分析（リアルタイム処理）している場合に、撮像端末２の出力部１１５は、火災が検知された警戒区域を特定した際に、火災が検知された警戒区域を示す通知を、ネットワークを介して作業者端末１に送信してもよい（ｇ）。作業者端末１の表示部１５は、撮像端末２から受信した通知を表示する。これにより作業者は、試験対象の火災感知器４で正常に火災が検知されたことを知ることができ、次の火災感知器４の試験に速やかに移行できる。
【０１０３】
このように、撮像端末２が撮像画像を分析する処理をすることによって、撮像端末２から作業者端末１へ撮像画像を送信する必要がなくなるため、通信の負荷を低減することができる。
【０１０４】
［第３変形例］
Ｐ型火災受信機である火災受信機３は、１つの警戒区域に配置された複数の火災感知器４のいずれかが火災を感知した場合に該警戒区域について火災を報知するため、いずれの火災感知器４が火災を感知したかを報知することはできない。いずれの火災感知器４が火災を感知したか区別するために、作業者端末１は、試験の実施中に、試験対象の火災感知器４の入力を作業者から受け付けてもよい。
【０１０５】
図１１は、途中設定画面を表示している作業者端末１の正面図である。作業者端末１は、試験の実施中に表示部１５上に途中設定画面を表示し、作業者による途中設定の入力を受け付ける。途中設定画面は、撮像画像１５４と、地区番号欄１５５と、感知器番号欄１５６と、決定ボタン１５７を含む。
【０１０６】
撮像画像１５４は、画像取得部１１２が撮像端末２から受信した最新の撮像画像である。最新の撮像画像は、火災受信機３の現在の状態を表している。地区番号欄１５５は、警戒区域の識別情報を指定するための欄である。地区番号欄１５５は、例えば図５の初期設定画面で感知器数指定欄１５２に指定された警戒区域の識別情報を、選択肢として表示する。
【０１０７】
感知器番号欄１５６は、火災感知器４の番号を指定するための欄である。感知器番号欄１５６は、例えば図５の初期設定画面で感知器数指定欄１５２に指定された警戒区域ごとの火災感知器４の数を上限とした通し番号を、選択肢として表示する。例えばある警戒区域の火災感知器４の数が４と指定された場合には、感知器番号欄１５６は通し番号として１〜４を選択肢として表示する。これにより作業者は、各警戒区域に配置された火災感知器４の数を認識しながら試験を実施できる。
【０１０８】
決定ボタン１５７は、表示部１５上に表示された仮想的なボタンである。作業者は、試験の実施中に、地区番号欄１５５及び感知器番号欄１５６において試験対象とする警戒区域の識別情報及び火災感知器４の番号を指定し、決定ボタン１５７を押下する。
【０１０９】
作業者端末１の設定受付部１１１は、作業者によって決定ボタン１５７が押下されると、地区番号欄１５５及び感知器番号欄１５６に指定された内容を取得する。設定受付部１１１は、作業者によって第１の警戒区域及び火災感知器４が指定されてから第２の警戒区域及び火災感知器４が指定されるまで（あるいは試験が終了するまで）の期間を、第１の警戒区域及び火災感知器４に対する試験区間として、記憶部１２に記憶させる。
【０１１０】
画像分析部１１３は、火災が検知された警戒区域及び時刻を特定した際に、該時刻が含まれる試験区間に対応する火災感知器４の番号を、火災が検知された火災感知器４として特定する。
【０１１１】
履歴情報生成部１１４は、画像分析部１１３が特定した火災が検知された警戒区域、火災感知器４及び時刻に基づいて、履歴情報Ｄを生成する。この場合に、履歴情報Ｄは、図７に示す時刻Ｄ１、状態Ｄ２及び場所Ｄ３に加えて、火災が検知された火災感知器４の番号を含む。
【０１１２】
このような構成により、火災報知システムＳは、作業者から試験対象の火災感知器４の入力を受け付け、撮像画像を分析することによって特定した警戒区域及び時刻に加えて、いずれの火災感知器４が火災を検知したかの情報を出力できる。これにより、作業者は手作業で試験対象の火災感知器４を記録して撮像画像の分析結果と紐付ける必要がなくなるため、作業者が試験の記録表等を作成するための手間をさらに削減できる。
【０１１３】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【０１１４】
コンピュータである作業者端末１、撮像端末２及びサーバ６のうち１つ又は複数が、図８に示す試験結果出力方法に対応するプログラムを実行する。すなわち、作業者端末１、撮像端末２又はサーバ６のプロセッサは、図８に示す試験結果出力方法に含まれる各ステップ（工程）の主体となる。作業者端末１、撮像端末２又はサーバ６のプロセッサは、図８に示す試験結果出力方法を実行するためのプログラムを記憶部から読み出し、該プログラムを実行して火災報知システムＳの各部を制御することによって、図８に示す試験結果出力方法を実行する。図８に示す試験結果出力方法に含まれるステップは一部省略されてもよく、ステップ間の順番が変更されてもよく、複数のステップが並行して行われてもよい。
【符号の説明】
【０１１５】
Ｓ  火災報知システム
１  作業者端末
１１  制御部
１１１  設定受付部
１１２  画像取得部
１１３  画像分析部
１１５  出力部
１２  記憶部
２  撮像端末
２１２  画像送信部
３  火災受信機
３２  報知部
３２ａ  ランプ
３２ｂ  ディスプレイ
４  火災感知器
【図１】
2020004172.tif 000003
【図２】
2020004172.tif 000004
【図３】
2020004172.tif 000005
【図４】
2020004172.tif 000006
【図５】
2020004172.tif 000007
【図６】
2020004172.tif 000008
【図７】
2020004172.tif 000009
【図８】
2020004172.tif 000010
【図９】
2020004172.tif 000011
【図１０】
2020004172.tif 000012
【図１１】
2020004172.tif 000013